【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
複数のトピックに分類された、一つのドメインに属する機械可読なドメイン内データを準備するための手段と、
前記ドメイン内データの前記複数のトピックの一つがそれぞれ割り当てられ、トレーニングデータが自己に割り当てられたトピックに属するか否かを判定するようにトレーニング可能な複数のトピック判定手段と、
前記ドメイン内データをトレーニングデータとして用い、前記複数のトピック判定手段をトレーニングするための第１のトレーニング手段と、
与えられる入力データが所定のドメインに属するか否かを検証するためのドメイン検証器と、
前記第１のトレーニング手段によりトレーニングされた前記複数のトピック判定手段と
前記ドメイン内データとを用いて、与えられる入力データが前記ドメイン内データのドメインに属するか否かを前記ドメイン検証器が判定可能となるように、前記ドメイン検証器をトレーニングするための第２のトレーニング手段とを含む、ドメイン検証器のトレーニング装置。
【請求項２】
前記複数のトピック判定手段の各々は、トレーニングデータ及び当該トレーニングデータが自己に割り当てられたトピックに属するか否かを示す情報が与えられると、入力データが自己に割り当てられたトピックに属するか否かを判定するようにトレーニング可能なサポートベクターマシン（ＳＶＭ）を含む、請求項１に記載のドメイン検証器のトレーニング装置。
【請求項３】
前記ＳＶＭは、入力データが自己に割り当てられたトピックに属するか否かを示す情報を、所定範囲に正規化された数値として出力する、請求項２に記載のドメイン検証器のトレーニング装置。
【請求項４】
前記ＳＶＭは、入力データが自己に割り当てられたトピックに属するか否かを示す情報を、前記所定範囲内の離散値として出力する、請求項３に記載のドメイン検証器のトレーニング装置。
【請求項５】
前記第２のトレーニング手段は、前記第１のトレーニング手段によりトレーニングされた前記複数のトピック判定手段、及び前記ドメイン内データを用い、かつ削除補間法を用いることにより、前記ドメインに属さないトレーニングデータを用いずに、前記ドメイン検証器をトレーニングするための手段を含む、請求項１〜請求項４のいずれかに記載のドメイン検証器のトレーニング装置。
【請求項６】
前記第２のトレーニング手段は、
前記複数のトピックのうちのｊ番目（ｊは自然数）の一つを選択してドメイン外に設定するためのトピック選択手段と、
前記トピック選択手段によりドメイン外に設定されたトピックに対応する前記トピック判定手段を除く、残りのトピック判定手段に対し、前記ドメインに属するトレーニングデータを与え、トレーニングデータごとに前記複数のトピック判定手段による判定結果を、各トピックに属すると判定される信頼度尺度として得るための手段と、
前記判定結果を得る手段により得られた前記残りのトピック判定手段による判定結果と、前記トレーニングデータが属するトピックを示す情報とに基づいて、次式で表されるドメイン検証関数Ｇin-domain（Ｘ）
【数１】
2005164836.tif 000001
によって、トレーニングデータが前記ドメイン外に設定されたトピックに属するか否かを判定できるように、前記ドメイン内検証関数Ｇin-domain（Ｘ）の係数λij（１≦ｊ≦Ｍ，ｊ≠ｉ）の値を確率降下法により算出するための係数算出手段と、
前記複数のトピックの各々が全て一度ずつ選択されるように前記トピック選択手段、前記判定結果を得るための手段、及び前記係数算出手段が繰返し動作するよう制御するための制御手段と、
前記制御手段による繰返しの結果、各トピックに対して算出された前記ドメイン内検証関数Ｇin-domain（Ｘ）の係数λij（１≦ｊ≦Ｍ，ｊ≠ｉ）の平均値λi（１≦ｉ≦Ｍ）を算出するための平均算出手段と、
前記平均算出手段により算出された係数λi（１≦ｉ≦Ｍ）を前記ドメイン検証器のパラメータに設定するための手段とを含む、請求項５に記載のドメイン検証器のトレーニング装置。
【請求項７】
コンピュータにより実行されると、当該コンピュータを請求項１〜請求項６のいずれかに記載のドメイン検証器のトレーニング装置として動作させる、コンピュータプログラム。
【請求項８】
ドメイン内データの複数のトピックの一つがそれぞれ割り当てられ、入力データが自己に割り当てられたトピックに属するか否かを判定するようにトレーニングされた複数のトピック判定手段と、
与えられる入力データが前記ドメインに属するか否かを検証するためのドメイン検証器と、
入力データを前記複数のトピック判定手段に与え、前記複数のトピック判定手段が出力した判定結果を前記ドメイン検証器に入力するためのデータ入力手段とを含み、それによって、前記データ入力手段によるデータの入力に応答した前記ドメイン検出装置の出力は、前記入力データが前記ドメインに属するか否かを示す、ドメイン検証装置。
【請求項９】
入力データが自己に割り当てられたトピックに属するか否かを判定するようにトレーニングされた複数のトピック判定手段と、
与えられる入力データが所定のドメインに属するか否かを検証するためのドメイン検証器と、
前記複数のトピック判定手段、及び前記ドメインに属する入力データを用いて、与えられる入力データが前記複数のトピック判定手段のトピックからなるドメインに属するか否かを前記ドメイン検証器が判定可能となるように、前記ドメイン検証器をトレーニングするためのトレーニング手段とを含む、ドメイン検証器のトレーニング装置。
【手続補正２】
【補正対象書類名】明細書
【補正対象項目名】００２２
【補正方法】変更
【補正の内容】
【００２２】
第２のトレーニング手段は、複数のトピックのうちのｊ番目（ｊは自然数）の一つを選択してドメイン外に設定するためのトピック選択手段と、トピック選択手段によりドメイン外に設定されたトピックに対応するトピック判定手段を除く、残りのトピック判定手段に対し、ドメインに属するトレーニングデータを与え、トレーニングデータごとに複数のトピック判定手段による判定結果を、各トピックに属すると判定される信頼度尺度として得るための手段と、判定結果を得る手段により得られた残りのトピック判定手段による判定結果と、トレーニングデータが属するトピックを示す情報とに基づいて、次式で表されるドメイン検証関数Ｇin-domain（Ｘ）
【手続補正３】
【補正対象書類名】明細書
【補正対象項目名】００２３
【補正方法】変更
【補正の内容】
【００２３】
【数１】
2005164836.tif 000002
によって、トレーニングデータがドメイン外に設定されたトピックに属するか否かを判定できるように、ドメイン内検証関数Ｇin-domain（Ｘ）の係数λij（１≦ｊ≦Ｍ，ｊ≠ｉ）の値を確率降下法により算出するための係数算出手段と、複数のトピックの各々が全て一度ずつ選択されるようにトピック選択手段、判定結果を得るための手段、及び係数算出手段が繰返し動作するよう制御するための制御手段と、制御手段による繰返しの結果、各トピックに対して算出されたドメイン内検証関数Ｇin-domain（Ｘ）の係数λij（１≦ｊ≦Ｍ，ｊ≠ｉ）の平均値λi（１≦ｉ≦Ｍ）を算出するための平均算出手段と、平均算出手段により算出された係数λi（１≦ｉ≦Ｍ）をドメイン検証器のパラメータに設定するための手段とを含んでもよい。
【手続補正４】
【補正対象書類名】明細書
【補正対象項目名】００３８
【補正方法】変更
【補正の内容】
【００３８】
トレーニング済みのＳＶＭによる分類では、発話の特徴ベクトルの張る空間内において与えられた特徴ベクトルにより表される点と、ＳＶＭによる判別のためのハイパープレーンとの間の距離を用いて分類の尺度とする。入力がトピック内にあればこの距離の値は正、それ以外の場合には負とする。また、ＳＶＭの出力である距離は［−∞，∞］の範囲の値であるが、これにシグモイド変換を行なって［０，１］の範囲に正規化することにより、信頼度尺度が得られる。
【手続補正５】
【補正対象書類名】明細書
【補正対象項目名】００４１
【補正方法】変更
【補正の内容】
【００４１】
【数２】
2005164836.tif 000003
ドメイン検証器トレーニング部５４は、ドメイン検証器５６を削除補間法によりトレーニングする。式（１）中の係数λijはこのトレーニングにより得られる。ドメイン検証器トレーニング部５４の詳細を説明する前に、削除補間法の概要について説明する。
【手続補正６】
【補正対象書類名】明細書
【補正対象項目名】００４３
【補正方法】変更
【補正の内容】
【００４３】
この方法のアルゴリズムを擬似コードで書けば以下のようになる。
［１，Ｍ］中のトピックｊごとに
｛
トピックｊを一時的なＯＯＤに設定する
他のトピックをドメイン内に設定する
トピックｊをＯＯＤ、他のトピックをドメイン内と判別するように、式（２）によってドメイン検証モデルＧin-domain（Ｘ）をトレーニングする
すなわち、ＧＰＤを用い、式（２）の識別エラーが最小化するように重み（λ1j，…，λij,…,λMj）（ｉ≠ｊ）を計算する
【数３】
2005164836.tif 000004
｝
λi（１≦ｉ≦Ｍ）の各々を、上記した繰り返しにより得られた値（λi1，…，λij，…，λiM）（１≦ｊ≦Ｍ，ｊ≠ｉ）の平均値として求める。
つまり、あるトピックを一時的にＯＯＤとし、このトピックに対応するＳＶＭをモデルから削除して、残りのＳＶＭを用い発話セット２０の全ての発話に対する信頼度尺度を求める。発話が、ＯＯＤに設定されたトピック以外の残りのトピックに属するような判定が上記したドメイン内検証モデルＧin-domain（Ｘ）で行なえるように、重みλij（１≦ｉ，ｊ≦Ｍ、ｊ≠ｉ）をＧＰＤにより算出する。最後に、λi（１≦ｉ≦Ｍ）の各々を、こうして得た重みλij（１≦ｊ≦Ｍ，ｊ≠ｉ）を平均することにより求める。
【手続補正７】
【補正対象書類名】図面
【補正対象項目名】図４
【補正方法】変更
【補正の内容】
【図４】
2005164836.tif 000005